(57)【特許請求の範囲】
【請求項１】
管の内面に沿って螺旋状に巻回され、その幅方向側縁どうしがジョイナにより接合されることによって螺旋管を形成するストリップであって、
帯状に形成されるストリップ本体、
前記ストリップ本体の幅方向に所定の間隔を隔てて配置される複数のアンカ部であって、各々が前記ストリップ本体の一方の面からそれに直交する第１方向に突き出しかつその一方の面から所定寸法離間した先端位置にアンカ係止部を有するアンカ部、
前記ストリップ本体の幅方向両側縁のそれぞれに形成され、前記ストリップ本体に近くかつ当該ストリップ本体よりも前記第１方向に突き出した形状を有する第１壁と前記ストリップ本体から遠くかつ前記第１壁よりも前記第１方向に突き出した形状を有する第２壁とによって規定される条溝、
各条溝の第２壁の先端に設けられ、前記アンカ係止部の先端面に対応する位置に平坦面を形成する平坦部、および
各条溝の底面に設けられ、前記第１壁の先端から延びてその第１壁の直近の前記アンカ部における前記アンカ係止部よりも前記ストリップ本体側の位置に連結される補強部を備える、ストリップ。
【請求項２】
管の内面に沿って螺旋状に巻回され、その幅方向側縁どうしがジョイナにより接合されることによって螺旋管を形成するストリップであって、
帯状に形成されるストリップ本体、
前記ストリップ本体の幅方向に所定の間隔を隔てて配置される複数のアンカ部であって、各々が前記ストリップ本体の一方の面からそれに直交する第１方向に突き出しかつその一方の面から所定寸法離間した先端位置にアンカ係止部を有するアンカ部、
前記ストリップ本体の幅方向両側縁のそれぞれに形成され、前記ストリップ本体に近くかつ当該ストリップ本体よりも前記第１方向に突き出した形状を有する第１壁と前記ストリップ本体から遠くかつ前記第１壁よりも前記第１方向に突き出した形状を有する第２壁とによって規定される条溝、
各条溝の第２壁に設けられ、前記第２壁の外側面から突出して形成される第１係合部、
各条溝の第２壁に設けられ、前記第１係合部よりも先端側の前記外側面から前記第１係合部と同方向に突出して形成される当たり部、および
各条溝の第２壁の先端に設けられ、前記第１係合部および前記当たり部と反対方向に突出しかつ前記アンカ係止部の先端面に対応する位置に平坦面を形成する平坦部を備える、ストリップ。
【請求項３】
管の内面に沿って螺旋状に巻回され、その幅方向側縁が接合されることによって螺旋管を形成するストリップと、前記ストリップの幅方向側縁どうしを接合するジョイナとを互いに接合するための、ストリップとジョイナとの接合構造であって、
前記ストリップは、
帯状に形成されるストリップ本体、
前記ストリップ本体の一方の面に形成されるかつ当該ストリップ本体の幅方向に所定の間隔を隔てて配置される複数のアンカ部、
前記ストリップ本体の幅方向側縁に形成され、前記ストリップ本体に近い第１壁と前記ストリップ本体から遠い第２壁とで規定される条溝、
前記第２壁の外側面から突出して形成される第１係合部、および
前記第１係合部よりも先端側の位置であって、前記第２壁の外側面から突出して形成される当たり部を備え、
前記ジョイナは、
帯状に形成されるかつ前記ストリップ本体の前記側縁の間に配置されるジョイナ本体、
前記ジョイナ本体の幅方向側縁に前記条溝と嵌合可能に形成される第１突条、
前記第１突条よりも内側に形成され、前記第１突条と協働して前記第２壁を挟持する第２突条、および
前記第２突条の外側面から突出して形成されるかつ前記第１係合部に係合される第２係合部を備え、
前記当たり部は、前記第１係合部と前記第２係合部とが係合した状態で前記第２突条の前記外側面に当接する、ストリップとジョイナとの接合構造。
【請求項４】
管の内面に沿って螺旋状に巻回され、その幅方向側縁が接合されることによって螺旋管を形成するストリップと、前記ストリップの幅方向側縁どうしを接合するジョイナとを互いに接合するための、ストリップとジョイナとの接合構造であって、
前記ストリップは、
帯状に形成されるストリップ本体、
前記ストリップ本体の一方の面に形成されるかつ当該ストリップ本体の幅方向に所定の間隔を隔てて配置される複数のアンカ部、
前記ストリップ本体の幅方向側縁に形成され、前記ストリップ本体に近い第１壁と前記ストリップ本体から遠い第２壁とで規定される条溝、
前記第２壁の外側面から突出して形成される第１係合部、
前記第１係合部よりも先端側の位置であって、前記第２壁の外側面から突出して形成される当たり部、および
前記第１壁の内側面と前記第１壁の直近の前記アンカ部とを連結する補強部を備え、
前記ジョイナは、
帯状に形成されるかつ前記ストリップ本体の前記側縁の間に配置されるジョイナ本体、
前記ジョイナ本体の幅方向側縁に前記条溝と嵌合可能に形成される第１突条、
前記第１突条よりも内側に形成され、前記第１突条と協働して前記第２壁を挟持する第２突条、および
前記第２突条の外側面から突出して形成されるかつ前記第１係合部に係合される第２係合部を備え、
前記当たり部は、前記第１係合部と前記第２係合部とが係合した状態で前記第２突条の前記外側面に当接する、ストリップとジョイナとの接合構造。
【請求項５】
前記ストリップの前記第１壁には、内側に向けて窪む受部が形成され、前記受部は、前記第１係合部と前記第２係合部とが係合した状態で前記ジョイナ本体の前記側縁と嵌まり合う、請求項４記載のストリップとジョイナとの接合構造。
【請求項６】
前記第１係合部は、前記第２壁の先端側へ向かうにつれて徐々に外側に突出するテーパ状に形成され、前記第２係合部は、前記第２突条の始端側へ向かうにつれて徐々に外側に突出するテーパ状に形成され、前記第１係合部の先端側の面と前記第２係合部の始端側の面とが当接する、請求項４または５記載のストリップとジョイナとの接合構造。
【請求項７】
請求項４ないし６のいずれかのストリップとジョイナとの接合構造を用いて、ストリップの幅方向側縁どうしをジョイナにより接合することによって形成した、螺旋管。
【発明の詳細な説明】
【技術分野】
【０００１】
この発明は、ストリップ、ストリップとジョイナとの接合構造およびそれを用いた螺旋管に関し、特にたとえば、管の内面に沿って螺旋状に巻回され、その幅方向側縁が接合されることによって螺旋管を形成する、ストリップ、およびストリップとジョイナとの接合構造に関する。
【背景技術】
【０００２】
従来、下水管の内面に沿って螺旋状に巻回されるストリップの幅方向縁部どうしをジョイナで接合することによって、螺旋管を形成する技術が公知である。
【０００３】
たとえば、特許文献１の螺旋管では、ストリップの各側縁に形成されている条溝に、ジョイナの各側縁に形成されている突条が嵌合することで、ストリップの側縁どうしが接合されている。そして、地震等の地殻変動によってストリップのピッチが大きく広がる場合でも、ストリップの条溝との嵌まり合いがずれたり外れたりする前に、ジョイナが切欠部の箇所で破断することによって、ストリップのピッチの広がりが許容され、これら互いに引き離された側部と側部との間の隙間がフレキシブル部によって水密封止される。
【先行技術文献】
【特許文献】
【０００４】
【特許文献１】特許公開２００４−２５１３４０号［Ｆ１６Ｌ  １／００］
【発明の概要】
【発明が解決しようとする課題】
【０００５】
特許文献１の技術では、ストリップの幅方向縁部どうしをジョイナによって接合し、このジョイナにフレキシブル部を設けることで、ストリップとジョイナとを互いに引き離す方向の外力を許容している。しかしながら、ストリップのピッチが広がったりずれたりする場合には、ストリップの幅方向縁部における接合部分にも、外側への引張り力やせん断力が作用することとなる。このため、螺旋管の水密性を保持するには、ストリップの幅方向縁部における接合部分に対してより信頼性の高い接合構造が望まれる。
【０００６】
それゆえに、この発明の主たる目的は、新規な、ストリップ、ストリップとジョイナとの接合構造およびそれを用いた螺旋管を提供することである。
【０００７】
この発明の他の目的は、螺旋管の水密性を保持することができる、ストリップ、ストリップとジョイナとの接合構造およびそれを用いた螺旋管を提供することである。
【課題を解決するための手段】
【０００８】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００９】
第１の発明は、管の内面に沿って螺旋状に巻回され、その幅方向側縁どうしがジョイナにより接合されることによって螺旋管を形成するストリップであって、帯状に形成されるストリップ本体、ストリップ本体の幅方向に所定の間隔を隔てて配置される複数のアンカ部であって、各々がストリップ本体の一方の面からそれに直交する第１方向に突き出しかつその一方の面から所定寸法離間した先端位置にアンカ係止部を有するアンカ部、ストリップ本体の幅方向両側縁のそれぞれに形成され、ストリップ本体に近くかつ当該ストリップ本体よりも第１方向に突き出した形状を有する第１壁とストリップ本体から遠くかつ第１壁よりも第１方向に突き出した形状を有する第２壁とによって規定される条溝、各条溝の第２壁の先端に設けられ、アンカ係止部の先端面に対応する位置に平坦面を形成する平坦部、および各条溝の底面に設けられ、第１壁の先端から延びてその第１壁の直近のアンカ部におけるアンカ係止部よりもストリップ本体側の位置に連結される補強部を備える、ストリップである。
【００１０】
第１の発明では、ストリップ（１０）は、帯状に形成されるストリップ本体（１６）を含み、たとえば、下水管（１００）の内面（１００ａ）に沿って螺旋状に巻回され、幅方向側縁どうしがジョイナ（１２）に接合されることによって螺旋管（１４）を形成する。ストリップ本体の一方の面には、複数のアンカ部（１８）が形成されている。アンカ部は、ストリップ本体の幅方向に所定の間隔を隔てて配置されている。また、ストリップ本体の幅方向の側縁には、条溝（２４）が形成されている。たとえば、条溝は、ストリップ本体の長手方向に沿ってその全体に亘って形成され、ストリップとジョイナとを接合させるときには、この条溝とジョイナの突条（４０，４２）とが嵌まり合うこととなる。条溝には、補強部（３２）が形成されており、補強部は、条溝とこの条溝の直近のアンカ部とを連結することで、条溝の形状を安定させる。
【００１１】
第１の発明によれば、たとえば、地震等の地殻変動によってストリップとジョイナとを互いに引き離す方向の外力が作用しても、ストリップの条溝とジョイナの突条との嵌まり合いがずれたり外れたりすることがない。したがって、螺旋管の水密性を保持することができる。
【００１２】
第２の発明は、管の内面に沿って螺旋状に巻回され、その幅方向側縁どうしがジョイナにより接合されることによって螺旋管を形成するストリップであって、帯状に形成されるストリップ本体、ストリップ本体の幅方向に所定の間隔を隔てて配置される複数のアンカ部であって、各々がストリップ本体の一方の面からそれに直交する第１方向に突き出しかつその一方の面から所定寸法離間した先端位置にアンカ係止部を有するアンカ部、ストリップ本体の幅方向両側縁のそれぞれに形成され、ストリップ本体に近くかつ当該ストリップ本体よりも第１方向に突き出した形状を有する第１壁とストリップ本体から遠くかつ第１壁よりも第１方向に突き出した形状を有する第２壁とによって規定される条溝、各条溝の第２壁に設けられ、第２壁の外側面から突出して形成される第１係合部、各条溝の第２壁に設けられ、第１係合部よりも先端側の外側面から第１係合部と同方向に突出して形成される当たり部、および各条溝の第２壁の先端に設けられ、第１係合部および当たり部と反対方向に突出しかつアンカ係止部の先端面に対応する位置に平坦面を形成する平坦部を備える、ストリップである。
【００１４】
第３の発明は、管の内面に沿って螺旋状に巻回され、その幅方向側縁が接合されることによって螺旋管を形成するストリップと、ストリップの幅方向側縁どうしを接合するジョイナとを互いに接合するための、ストリップとジョイナとの接合構造であって、ストリップは、帯状に形成されるストリップ本体、ストリップ本体の一方の面に形成されるかつ当該ストリップ本体の幅方向に所定の間隔を隔てて配置される複数のアンカ部、ストリップ本体の幅方向側縁に形成され、ストリップ本体に近い第１壁とストリップ本体から遠い第２壁とで規定される条溝、第２壁の外側面から突出して形成される第１係合部、および第１係合部よりも先端側の位置であって、第２壁の外側面から突出して形成される当たり部を備え、ジョイナは、帯状に形成されるかつストリップ本体の側縁の間に配置されるジョイナ本体、ジョイナ本体の幅方向側縁に条溝と嵌合可能に形成される第１突条、第１突条よりも内側に形成され、第１突条と協働して第２壁を挟持する第２突条、および第２突条の外側面から突出して形成されるかつ第１係合部に係合される第２係合部を備え、当たり部は、第１係合部と第２係合部とが係合した状態で第２突条の外側面に当接する、ストリップとジョイナとの接合構造である。
【００１６】
第４の発明は、管の内面に沿って螺旋状に巻回され、その幅方向側縁が接合されることによって螺旋管を形成するストリップと、ストリップの幅方向側縁どうしを接合するジョイナとを互いに接合するための、ストリップとジョイナとの接合構造であって、ストリップは、帯状に形成されるストリップ本体、ストリップ本体の一方の面に形成されるかつ当該ストリップ本体の幅方向に所定の間隔を隔てて配置される複数のアンカ部、ストリップ本体の幅方向側縁に形成され、ストリップ本体に近い第１壁とストリップ本体から遠い第２壁とで規定される条溝、第２壁の外側面から突出して形成される第１係合部、第１係合部よりも先端側の位置であって、第２壁の外側面から突出して形成される当たり部、および第１壁の内側面と第１壁の直近のアンカ部とを連結する補強部を備え、ジョイナは、帯状に形成されるかつストリップ本体の側縁の間に配置されるジョイナ本体、ジョイナ本体の幅方向側縁に条溝と嵌合可能に形成される第１突条、第１突条よりも内側に形成され、第１突条と協働して第２壁を挟持する第２突条、および第２突条の外側面から突出して形成されるかつ第１係合部に係合される第２係合部を備え、当たり部は、第１係合部と第２係合部とが係合した状態で第２突条の外側面に当接する、ストリップとジョイナとの接合構造である。
【００１７】
第４の発明では、ジョイナ（１２）は、帯状のジョイナ本体（３８）を含み、このジョイナ本体が隣接するストリップ（１０）どうしのストリップ本体（１６）の側縁の間に配置される。ジョイナ本体の幅方向の両側縁には、第１突条（４０）、および第２突条（４２）が形成されている。第１突条は、ストリップの条溝（２４）に嵌め合わされる。第２突条は、第１突条よりも内側に形成され、第１突条と協働してストリップの第２壁（２８）を挟持する。第２突条の外側面には、第２係合部（４４）が形成されている。第２係合部は、たとえば、第２突条の始端側へ向かうにつれて徐々に外側に突出するテーパ状に形成される。たとえば、ストリップの第２壁をジョイナの第１突条と第２突条との間に嵌め込むことによって、ストリップの第１係合部とジョイナの第２係合部とが互いに係合される。そして、第１係合部と第２係合部とが係合した状態では、ストリップの当たり部（３６）がジョイナの第２突条の外側面に当接される。
【００１８】
第４の発明によれば、ストリップないしジョイナが回転して、それがストリップとジョイナとの離脱力として作用しても、ストリップの当たり部がジョイナの第２突条に当たって係止されるので、ストリップとジョイナとの離脱が極めて生じにくい。したがって、ストリップとジョイナとの離脱を防止することができ、延いては、螺旋管の水密性をより確実に保持することができる。
【００１９】
第５の発明は、第４の発明に従属し、ストリップの第１壁には、内側に向けて窪む受部が形成され、受部は、第１係合部と第２係合部とが係合した状態でジョイナ本体の側縁と嵌まり合う。
【００２０】
第５の発明では、ストリップ（１０）の第１壁（２６）には、内側に向けて窪む受部（３０）が形成されている。受部は、ジョイナ（１２）の幅方向側縁に相当する大きさを有する窪みであり、たとえば、第１壁の始端に形成される。ストリップの第１係合部（３４）とジョイナの第２係合部（４４）とが係合した状態では、この受部にジョイナの側縁が嵌め合わされる。
【００２１】
第５の発明によれば、ストリップないしジョイナが回転して、それがストリップとジョイナとの離脱力として作用しても、ジョイナの側縁がストリップの受部に当たって係止されるので、ストリップとジョイナとの離脱が極めて生じにくい。したがって、ストリップとジョイナとの離脱を防止することができ、延いては、螺旋管の水密性をより確実に保持することができる。
【００２２】
第６の発明は、第４または５の発明に従属し、第１係合部は、第２壁の先端側へ向かうにつれて徐々に外側に突出するテーパ状に形成され、第２係合部は、第２突条の始端側へ向かうにつれて徐々に外側に突出するテーパ状に形成され、第１係合部の先端側の面と第２係合部の始端側の面とが当接する。
【００２３】
第６の発明では、ストリップ（１０）の第１係合部（３４）は、第２壁（２８）の先端側へ向かうにつれて徐々に外側に突出するテーパ状に形成され、たとえば、その先端側の面（３４ａ）は、第２壁に対して垂直に形成される。また、ジョイナ（１２）の第２係合部（４４）は、第２突条（４２）の始端側へ向かうにつれて徐々に外側に突出するテーパ状に形成され、たとえば、その始端側の面（４４ａ）は、第２突条に対して垂直に形成される。そして、ストリップの第２壁をジョイナの第１突条（４０）と第２突条との間に嵌め込んで、第１係合部の先端側の面とジョイナの第２係合部の始端側の面とを当接させることによって、ストリップの第１係合部とジョイナの第２係合部とが係合される。
第７の発明は、第４ないし第６のいずれかの発明を用いて、ストリップの幅方向側縁どうしをジョイナにより接合することによって形成した、螺旋管である。
【発明の効果】
【００２４】
この発明によれば、ストリップの条溝と、この条溝の直近のアンカ部とが補強部によって連結されるため、螺旋管の水密性を保持することができる。
【００２５】
この発明の上述の目的，その他の目的，特徴および利点は、図面を参照して行う以下の実施例の詳細な説明から一層明らかとなろう。
【図面の簡単な説明】
【００２６】
【図１】この発明の一実施例のストリップとジョイナとの接合状態を示す断面図である。
【図２】図１のストリップを示す断面図である。
【図３】図１のジョイナを示す断面図である。
【図４】図１のストリップとジョイナとを使用して下水管の内面に螺旋管を形成した状態を示す図解図である。
【図５】図１のストリップとジョイナとの接合部分を示す拡大断面図である。
【図６】図１のストリップとジョイナとの接合部分であって、ストリップないしジョイナに回転力が作用した状態を示す図解図である。
【図７】図１のストリップとジョイナとの接合部分であって、ストリップないしジョイナに回転力が作用した状態を示す図解図である。
【発明を実施するための形態】
【００２７】
図１を参照して、この発明の一実施例であるストリップ１０は、たとえば老朽化した下水管１００を更生するために、下水管１００の内面１００ａに沿って螺旋状に巻回され、その幅方向側縁どうしがジョイナ１２に接合されることによって螺旋管（内管）１４を形成する。
【００２８】
なお、この実施例では、下水管１００はヒューム管であるが、これに限定される必要はなく、ヒューム管以外のたとえば合成樹脂製管や金属製管の下水管にも適用することがで
きる。
【００２９】
図１および図２に示すように、ストリップ１０は、たとえば硬質塩化ビニル等のような合成樹脂の押出成形によって連続的に形成されるものであり、帯状の本体（ストリップ本体）１６を含む。
【００３０】
本体１６の一方の面には、下水管１００の内面１００ａに向かって突出するアンカ部１８が形成されている。アンカ部１８は、下水管１００とストリップ１０との間に充填される充填材１０２に係合して、ストリップ１０を充填材１０２から外れ難くするためのものであり、複数、この実施例では、３つのアンカ部１８が、本体１６の幅方向に所定の間隔を隔てて形成されている。アンカ部１８は、本体１６の長手方向に沿ってその全体に亘って形成され、下水管１００の内面に向かって突出する帯状のアンカ脚部２０、およびこのアンカ脚部２０の先端に形成されたアンカ係止部２２を備えている。
【００３１】
アンカ係止部２２は、第１アンカ係止部２２ａ、および第２アンカ係止部２２ｂを含み、この第１アンカ係止部２２ａと第２アンカ係止部２２ｂとがリブ１８の高さ方向に並んで形成される。この理由は、下水管１００とストリップ１０との間に充填材１０２を充填したとき、アンカ効果をそのままに、ストリップ１０（アンカ部１８）と下水管１００の内面１００ａとの当接面積を減少させて、その分だけ裏込材と下水管の内面との付着面積を拡大させるようにし、それによって、下水管１００の内面１００ａと充填材１０２との付着強度を増大させるためである。
【００３２】
たとえば、第１アンカ係止部２２ａは、下水管１００に螺旋管１４を形成した状態で、その先端面と下水管１００の内面１００ａとが面接触する部位であり、アンカ脚部２０の先端に形成される。第１アンカ係止部２２ａは、先端側で幅が大きく始端側で幅が小さい略台形状を有しており、その先端面の幅は、たとえば６ｍｍである。
【００３３】
また、たとえば、第２アンカ係止部２２ｂは、第１アンカ係止部２２ａよりも始端側（本体１６の側）に形成され、その中央部がアンカ脚部２０と結合している。第２アンカ係止部２２ｂは、断面略長方形状を有しており、その幅は、たとえば９ｍｍである。
【００３４】
また、本体１６の幅方向の両側縁には、条溝２４が形成されている。各条溝２４は、本体１６の長手方向に沿ってその全体に亘って形成され、本体１６に近い第１壁２６と本体１６から遠い第２壁２８とを備えている。
【００３５】
第１壁２６には、受部３０が形成されている。受部３０は、第１壁２６から内側に向かう窪みであり、たとえば、第１壁２６の始端（本体１６側の端）に形成される。受部３０は、ジョイナ１２の幅方向の側縁に相当する大きさを有しており、後で詳細に説明するように、ストリップ１０の第１係合部３４とジョイナ１２の第２係合部４４とが係合した状態では、この受部３０にジョイナ１２の幅方向の側縁が嵌め合わされることとなる（図５参照）。
【００３６】
ただし、この実施例における「内側」とは、ストリップ１０（本体１６）の中央側を意味し、「外側」とは、その反対側を意味する。
【００３７】
また、第１壁２６の内側面には、補強部３２が形成されている。補強部３２は、第１壁２６および第２壁２８の形状を安定させるためのものであり、第１壁２６の先端から内側へ延び、第１壁２６とこの第１壁２６と最も近い（直近の）アンカ部１８（アンカ脚部２０）とを連結する。
【００３８】
第２壁２８の外側面には、第１係合部３４が形成されている。第１係合部３４は、第２壁２８の先端側へ向かうにつれて徐々に外側に突出するテーパ状に形成される。たとえば、第１係合部３４は、断面略三角形状を有しており、その先端側の面（先端面）３４ａは、第２壁２８に対して垂直に形成される。後で詳細に説明するように、ストリップ１０の第１係合部３４とジョイナ１２の第２係合部４４とが係合した状態では、この第１係合部３４の先端側の面３４ａとジョイナ１２の第２係合部４４の始端側の面４４ａとが当接することとなる。
【００３９】
さらに、第２壁２８の外側面には、第１係合部３４よりも先端の位置に、当たり部３６が形成されている。当たり部３６は、第２壁２８から外側に向けて突出し、その外側の面３６ａは、先端側が少し外側に突出したテーパ状に形成されている。たとえば、当たり部３６の外側の面（テーパ面）３６ａの角度と、詳細は後述する、ジョイナ１２の第２突条４２の外側の面（テーパ面）４２ａの角度とは、互いに一致している。後で詳細に説明するように、ストリップ１０の第１係合部３４とジョイナ１２の第２係合部４４とが係合した状態では、当たり部３６のテーパ面３６ａと第２突条４２のテーパ面４２ａとが当接することとなる（図５参照）。
【００４０】
これら受部３０，補強部３２，第１係合部３４および当たり部３６は、本体１６の長手方向に沿ってその全体に亘って形成されている。
【００４１】
図１および図３に示すように、ジョイナ１２は、たとえば硬質塩化ビニル等のような合成樹脂の押出成形によって連続的に形成されるものであり、帯状の本体（ジョイナ本体）３８を含む。
【００４２】
本体３８の幅方向の両側縁には、本体３８の長手方向に沿ってその全体に亘って、第１突条４０、および第２突条４２が形成されている。第１突条４０は、本体３８に対して垂直に形成され、下水管１００の内面に向かって突出する。第１突条４０は、ストリップ１０の条溝２４に相当する大きさを有しており、ストリップ１０とジョイナ１２とを接合させるときには、ストリップ１０の条溝２４に嵌め合わされる（図５参照）。
【００４３】
第２突条４２は、第１突条４０よりも内側に形成され、第１突条４０と協働してストリップ１０の第２壁２８を挟持する。第２突条４２の先端は、内側に向けて屈曲しており、ストリップ１０のアンカ部１８と同様に、下水管１００とストリップ１０との間に充填される充填材１０２に係合する。また、この第２突条の外側面４２ａは、先端側よりも少し始端側が外側に突出したテーパ状に形成されており、上述したように、この外側面（テーパ面）４２ａの角度は、ストリップ１０の当たり部３６の外側の面（テーパ面）の角度と互いに一致している。
【００４４】
第２突条４２の外側面には、ストリップ１０の第１係合部３４と係合可能な第２係合部４４が形成されている。第２係合部４４は、第２突条４２の始端側（本体３８の側）へ向かうにつれて徐々に外側に突出するテーパ状に形成される。第２係合部４４は、断面略三角形状を有しており、その始端側の面４４ａが、第２突条４２に対して垂直に形成される。
【００４５】
また、本体３８の、第１突条４０と第２突条４２との間の位置には、ゴムやエラストマなどの止水材４６が設けられている。止水材４６は、薄い板状体であり、本体３８の長手方向に沿ってその全体に亘って連続して設けられて、ストリップ１０の第２壁２８をジョイナ１２の第１突条４０と第２突条４２との間に嵌め込んだときに、ストリップ１０の第２壁２８の始端と接触して（図５参照）、これらの間を止水する。
【００４６】
さらに、本体３８の一方の面の、略中央部には、フレキシブル部４８が形成されている。フレキシブル部４８は、材質がたとえば合成ゴム，軟質合成樹脂またはエラストマ等であって、本体３８の長手方向に沿ってその全体に亘って連続して形成されている。図５に示すように、このフレキシブル部４８は、幅方向の各側縁４８ａ，４８ａが互いに間隔を隔てた状態で、ジョイナ１２の本体３８の長手方向に沿って本体３８の外面に固着されている。
【００４７】
また、本体３８の、フレキシブル部４８の側縁４８ａと側縁４８ａとの間の位置には、屈曲部５０が形成されている。屈曲部５０は、断面形状がほぼ逆Ｕ字状であり、本体３８の幅方向の略中央部を屈曲して形成されたものである。屈曲部５０は、本体３８の長手方向の全体に亘って連続して形成されており、本体３８の外面側（下水管１００の側）に突出している。
【００４８】
図３−図５を参照して、下水管１００の内面１００ａに螺旋管１４を形成して、下水管１００を更生する方法を以下に示す。
【００４９】
先ず、図２に示すストリップ１０と図３に示すジョイナ１２とを準備する。そして、図４に示すように、ストリップ１０を下水管１００の内面１００ａに沿って螺旋状に巻回するとともに、隣接するストリップ１０の幅方向側縁どうしをジョイナ１２で接合して、螺旋管１４を形成する。
【００５０】
具体的には、ストリップ１０とジョイナ１２との接合構造を形成するときには、図５に示すように、ストリップ１０の条溝２４とジョイナ１２の第１突条４０とを嵌め合わせるとともに、ストリップ１０の第２壁２８をジョイナ１２の第１突条４０と第２突条４２との間に嵌め込んで、ストリップ１０の第１係合部３４とジョイナ１２の第２係合部４４とを係合させる。つまり、ストリップ１０の第１係合部３４の先端側の面３４ａとジョイナ１２の第２係合部４４の始端側の面４４ａとを当接させる。すると、ストリップ１０の当たり部３６のテーパ面３６ａとジョイナ１２の第２突条４２のテーパ面４２ａとが当接するとともに、ストリップ１０の受部３０にジョイナ１２の側縁が嵌め合わされる。
【００５１】
次に、下水管１００の内面１００ａと螺旋管１４との間に充填材１０２を充填する。たとえば、充填材１０２には、セメントミルク等のようなモルタルを用いる。ストリップ１０に形成されているアンカ部１８は、この充填材１０２内に埋め込まれ、充填材１０２の硬化後は、このアンカ部１８が充填材１０２に強固に固定される。これで螺旋管１４の施工が終了する。
【００５２】
この実施例では、ストリップ１０の条溝２４と、この条溝２４の直近のアンカ部１８とが補強部３２によって連結されるため、たとえば、地震等の地殻変動によってストリップとジョイナとを互いに引き離す方向の外力が作用しても、条溝２４が外側に広げられる方向に変形することがなく、ストリップ１０の条溝２４の形状を保持することができる。したがって、ストリップ１０の条溝２４とジョイナ１２の突条４０との嵌まり合いがずれたり外れたりすることがほとんどない。つまり、この実施例によれば、ストリップ１０とジョイナ１２との接合部の水密性を保持することができ、延いては、螺旋管１４の水密性を保持することができる。
【００５３】
また、この実施例では、ストリップ１０の第１係合部３４とジョイナ１２の第２係合部４４とが係合した状態で、ストリップ１０の当たり部３６とジョイナ１２の第２係合部４４とが当接するとともに、ストリップ１０の受部３０にジョイナ１２の側縁が嵌め合わされる。このため、図６に示すように、ストリップ１０が矢印Ａ方向に回転して、またはジョイナ１２が矢印Ｂ方向に回転して、それがストリップ１０とジョイナ１２との離脱力として作用しても、ストリップ１０の当たり部３０がジョイナ１２の第２係止部４４に当たって係止されるので、ストリップ１０とジョイナ１２との離脱が極めて生じにくい。また、図７に示すように、ストリップ１０が矢印Ｃ方向に回転して、またはジョイナ１２が矢印Ｄ方向に回転して、それがストリップ１０とジョイナ１２との離脱力として作用しても、ジョイナ１２の側縁がストリップ１０の受部３０に当たって係止されるので、ストリップ１０とジョイナ１２との離脱が極めて生じにくい。したがって、このようなストリップ１０とジョイナ１２との接合構造によれば、ストリップ１０とジョイナ１２との離脱を防止することができ、延いては、螺旋管１４の水密性をより確実に保持することができる。
【００５４】
なお、上述の実施例では、ストリップ１０は、老朽化した下水管１００を更生する螺旋管１４を形成するために用いられたが、これに限定される必要はない。たとえば、新設の下水管の内面を保護する螺旋管１４を形成するために用いることもできる。
【００５５】
また、上述の実施例では、ストリップ１０は、下水管１００の内面１００ａに沿って螺旋状に巻回され、その幅方向側縁どうしをジョイナに接合されることによって螺旋管１４を形成したが、これに限定される必要はない。たとえば、ストリップ１０（本体１６）の一方側縁に条溝２４を形成するとともに、ストリップ１０（本体１６）の他方側縁に条溝２４と嵌合可能な突条を形成し、互いに隣接するストリップ１０の条溝２４と突条とを嵌合させてそれらを接合することによって、螺旋管１４を形成してもよい。この場合には、たとえば、地震等の地殻変動によって互いに隣接するストリップ１０を引き離す方向の外力が作用しても、ストリップ１０の条溝２４と突条との嵌まり合いがずれたり外れたりすることがほとんどない。したがって、互いに隣接するストリップ１０どうしの接合部の水密性を保持することができ、延いては、螺旋管１４の水密性を保持することができる。
【００５６】
さらに、上述の実施例では、ストリップ１０の第１係合部３４の先端側の面３４ａが第２壁２８に対して垂直に形成され、ジョイナ１２の第２係合部４４の始端側の面４４ａが、第２突条４２に対して垂直に形成され、ストリップ１０の第１係合部３４とジョイナ１２の第２係合部４４とが係合した状態では、これら先端側の面３４ａと始端側の面４４ａとが面接触したが、これに限定される必要はない。また、ストリップ１０の第１係合部３４が第２壁２８の先端側へ向かうにつれて徐々に外側に突出するテーパ状に形成されるとともに、ジョイナ１２の第２係合部４４が第２突条４２の始端側へ向かうにつれて徐々に外側に突出するテーパ状に形成されたが、これに限定される必要もない。これらは、あくまで第１係合部３４と第２係合部４４との係止力を向上させるためのものであり、要は、第１係合部３４と第２係合部４４とが係合可能であれば、第１係合部３４ならびに第２係合部４４の形状は特に限定されるものではない。
【００５７】
さらにまた、上述の実施例では、ストリップ１０の当たり部３６のテーパ面３６ａの角度と、ジョイナ１２の第２突条４２のテーパ面４２ａの角度とは、互いに一致し、これらテーパ面３６ａとテーパ面４２ａとが面接触したが、これに限定される必要はない。また、当たり部３６の外側の面３６ａは、先端側が少し外側に突出したテーパ状に形成され、第２突条４２の外側面４２ａは、始端側が少し外側に突出したテーパ状に形成されたが、これに限定される必要もない。これらは、あくまで当たり部３６と第２突条４２との係止力を向上させるためのものであり、要は、ストリップ１０ないしジョイナ１２が回転したときに、ジョイナ１２の第２係止部４４に当たって係止することができるのであれば、当たり部３６の形状は特に限定されるものではない。
【００５８】
なお、上述した径や高さ等の具体的数値は、いずれも単なる一例であり、必要に応じて適宜変更可能である。
【符号の説明】
【００５９】
１０  …ストリップ
１２  …ジョイナ
１４  …螺旋管
１８  …アンカ部
２４  …条溝
２６  …第１壁
２８  …第２壁
３０  …受部
３２  …補強部
３４  …第１係合部
３６  …当たり部
４０  …第１突条
４２  …第２突条
４４  …第２係合部
１００  …下水管
【図１】
0005491105.tif 000002
【図２】
0005491105.tif 000003
【図３】
0005491105.tif 000004
【図４】
0005491105.tif 000005
【図５】
0005491105.tif 000006
【図６】
0005491105.tif 000007
【図７】
0005491105.tif 000008